【事件の表示】
　特許第３１８７９５０号「野菜収穫機」の請求項１、２に係る特許に対する特許異議の申立てについて、次のとおり決定する。
【結　論】
　訂正を認める。
　特許第３１８７９５０号の請求項１ないし２に係る特許を取り消す。
【理　由】
（１）手続の経緯
　特許第３１８７９５０号に係る発明についての出願は、平成４年７月７日に出願され、平成１３年５月１１日にその発明について特許の設定登録がなされ、その後、その特許について、異議申立人井関農機株式会社により特許異議の申立てがなされ、取消理由通知がなされ、その指定期間内である平成１４年６月７日に訂正請求がなされたものである。
　
（２）訂正の適否についての判断
ア．訂正の内容
１．特許請求の範囲の請求項１の「収穫物載置部を設けた」を、
「収穫物載置部を設け、作業終了時には、該横コンベア を後方へ回動して、前記収穫物載置部上に収納する」と訂正する。
２．明細書の段落【０００４】の「収穫物載置部を設けた」を、
「収穫物載置部を設け、作業終了時には、該横コンベア を後方へ回動して、前記収穫物載置部上に収納する」と訂正する。
３．明細書の段落【０００２】の「出荷していたある」を、
「出荷していたのである」と訂正する。
４．明細書の段落【００１９】の「横フレーム１１Ｌ・１１Ｒ」を、
「横コンベア１１Ｌ・１１Ｒ」と訂正する。
　
イ．訂正の目的の適否、新規事項の有無、及び拡張・変更の存否
　上記訂正事項１は、明細書の段落【００１３】の記載に基づいて、横コンベアの構成を限定するものであるから、特許請求の範囲の減縮を目的とするものである。
　上記訂正事項２は、上記請求項１の訂正に伴い、発明の詳細な説明を整合させるものであるから、明りょうでない記載の釈明を目的とするものである。
　上記訂正事項３は、「出荷していたのである」の明らかな誤りであるので、誤記の訂正を目的とするものである。
　上記訂正事項４は、段落【０００８】、【０００９】、【００１３】、【００１７】には、「横コンベア１１Ｌ・１１Ｒ」と記載されており、符号「１１Ｌ・１１Ｒ」は、横コンベアを表すものであるから、誤記の訂正を目的とするものである。
　そして、上記訂正は、願書に添付した明細書または図面に記載された事項の範囲を越えるものとは認められないから、新規事項の追加に該当せず、また特許請求の範囲を実質的に拡張または変更するものではない。
　
ウ．むすび
　以上のとおりであるから、上記訂正は、平成１１年改正前の特許法第１２０条の４第３項において準用する平成６年法律第１１６号による改正前の特許法第１２６条第１項ただし書および第２項の規定に適合するので、当該訂正を認める。
　
（３）特許異議の申立てについて
ア．本件発明
　特許第３１８７９５０号の請求項１に係る発明（以下、本件発明１という。）、請求項２に係る発明（以下、本件発明２という。）は、平成１４年６月７日付けの訂正明細書の特許請求の範囲の請求項１および２に記載された次の事項により特定されるとおりのものである。
「【請求項１】機体進行方向と直角に横コンベアを配置し、該横コンベアの搬送終端部を中心に収納回動可能に構成して搬送部を構成し、前記横コンベアの後方に収穫物載置部を設け、作業終了時には、該横コンベアを後方へ回動して、前記収穫物載置部上に収納することを特徴とする野菜収穫機。
【請求項２】請求項１記載の野菜収穫機において、横コンベアを昇降可能に構成したことを特徴とする野菜収穫機。」
　
イ．引用刊行物
　当審が通知した取消の理由に引用した刊行物１（特開昭５６ー１３７８１５号公報、申立人の提出した甲第１号証）には、
「農業専用路上で自走車に、牽引させる牽引車に、一端に重錘を、他端に伸縮自在な搬送コンベア機構を設けた取付枠を、支持部を介して回転自在となし、該取付枠を押上げ機構を介して押動して傾動自在にならしめてなる農作物収穫用搬送装置」（特許請求の範囲）、
「まず、図中（Ａ）は、自走車で、トラック等の運搬車であり、その後端には、牽引車（Ｂ）を連結する。牽引車（Ｂ）は、支持台（ＩＢ）下面に従輪（２Ｂ）を有し、上面には搬送装置本体（Ｈ）を装備する。搬送装置本体（Ｈ）は、搬送コンベア機構（Ｃ）、該機構（Ｃ）を支持する支持部（Ｅ）、ならびにコンベア機構（Ｃ）に固定された取付枠（Ｄ）の支持部（Ｅ）を挟んだ部分に設けた重錘（Ｆ）、上記機構（Ｃ）を傾動自在にならしめる押上げ機構（Ｇ）、自走車（Ａ）に、農作物（１）を送り込むシューター（２）等から構成される。」（１頁左欄下から２行〜右欄８行）、
「また、取付腕（ｌｄ）には傾斜せる移送コンベア（１３）の下端が固着され、上記と同様この移送コンベア（１３）は、プーリー（１２）を介して回動する。」（２頁左上欄１８行〜右上欄２０行）、
「支持部（Ｅ）は、取付枠（Ｄ）中央部分の短枠（９）下面より受片（１６）を突出せしめ、その受片（１６）と、下端を支持台（ＩＢ）上に固定したスラスト軸受部（１７）で軸承せる支持軸（１８）の上端の受片（１６）とに渉って枢軸（１９）を枢着せしめてシーソー状に傾動自在となすと共に支持軸（１８）自体は、横倒不能に保持される。」（２頁右上欄５〜１０行目）、
「取付枠（Ｄ）自体を重錘（Ｆ）の重さに抗して押上げて適度な傾斜角度に強制的に変更せしめる。」（２頁右下欄２〜４行）、
「搬送コンベア機構（Ｃ）を縮小せしめて支持部（Ｅ）を中心にして回動し、そのコンベア機構（Ｃ）を自走車（Ａ）の荷台（ＩＡ）と同一方向に向けて、パイナップル（１）を収穫後目走車（Ａ）を移動する場合に、その路上のアンジュレーションによって取付枠（Ｄ）が自然に傾動しないようになす。」（２頁右下欄１９行〜３頁左上欄４行）、
「まず、第１図及び第２図は今収穫時を示し、路上に対して直角方向に、搬送コンベア機構（Ｃ）を伸ばし、前後左右例えば８ｍ範囲に植設された農作物（１）を人為的に、刈り取り、コンベア群（ｌ０）のベルト（７）上に載置せしめる。すると、農作物（１）はコンベア群（ｌ０）を経て移送コンベア（１３）に至り、更に、シューター（２）より自走車（Ａ）の荷台（ＩＡ）上へ搬送される。」（３頁右上欄１２行〜１９行）、
「また農作物（１）を収穫作業の終了後には…（中略）…更に支持部（Ｅ）を中心にして回動せしめて第８図に示す如く位置せしめる。」（３頁左下欄８行〜１７行）、
「本発明は叙上の如く取付枠の支持部を中心としてその一端に、伸縮自在に搬送コンベア機構を、他端にそのコンベア機構より重い重錘を設け、そして、取付枠を押上げ機横を・・・傾動自在にしてなり、押上げ機構を介して取付枠を押動してコンベア機構を農園等の農作物圃地に対して平行になるまで傾動し、そのコンベア機構を伸張せしめれば、その広範囲の農作物を一括して自走車に搬送収穫でき、実用的効果極めて大である。また、収穫終了後には、搬送コンベア機構を縮小せしめ、更に押上げ機構を介して取付枠を下動してコンベア機構を上向きに傾動せしめ、そして支持部を中心にして回動すればコンベア機構と、取付枠、重鍾は、自走車の長手方向と同一方向（第８図）でしかも自走車の荷台上に位置し、コンパクト化を図り、移送中に、荷台幅より搬送コンベア機構或いは重錘が突出することなく楽に移送し得る。」（４頁左上欄８行〜右上欄６行）と記載されている。
　上記記載及び第１〜８図からみて、農作物収穫用搬送装置は、農作物収穫機であって、自走車（Ａ）と牽引車（Ｂ）で機体を構成し、牽引車に設けたコンベア機構（Ｃ）および移送コンベア（１３）は、収穫物の搬送部であって、収穫時には、自走車（Ａ）の進行方向と直角に配置され、収穫作業の終了後、支持部（Ｅ）を中心に回動させ、自走車（Ａ）の長手方向と同一方向で自走車の荷台（Ａ１）上に位置させるものであり、移送コンベア（１３）の搬送終端部は、支持部（Ｅ）上に位置しているから、刊行物１には、「自走車（Ａ）と牽引車（Ｂ）の進行方向に直角にコンベア機構（Ｃ）および移送コンベア（１３）を配置し、該移送コンベア（１３）の搬送終端部を中心に回動可能に構成して搬送部を構成し、作業終了時には、該コンベア機構（Ｃ）および移送コンベア（１３）を回動して、前記自走車の荷台上に位置させた農作物収穫機。」が記載されているものと認める。
　
ウ．対比・判断
（本件発明１について）
　本件発明１と刊行物１に記載の発明を対比すると、刊行物１に記載の発明の「自走車（Ａ）および牽引車（Ｂ）」、「コンベア機構（Ｃ）および移送コンベア（１３）」、「自走車（Ａ）の荷台（１Ａ）」は、その機能からみて、本件発明１の「機体」、「横コンベア」、「収穫物載置部」に相当し、本件発明１の横コンベアも、作業終了時に、収穫物載置部上に位置しており、野菜は農作物であるから、
　両者は、「機体進行方向に直角に横コンベアを配置し、該横コンベアの搬送終端部を中心に回動可能に構成して搬送部を構成し、収穫物載置部を設け、作業終了時には、該横コンベアを回動して、前記収穫物載置部上に位置させた農作物収穫機。」である点で一致するが、下記の点で相違する。
（相違点）
（ａ）本件発明１では、横コンベアの後方に収穫物載置部を設けているのに対し、刊行物１に記載の発明では、横コンベアの前方に収穫物載置部を設けている点。
（ｂ）本件発明１では、横コンベアの搬送終端部を中心に収納回動可能に構成し、作業終了時には、該横コンベアを後方へ回動して、収穫物載置部上に収納するのに対し、刊行物１に記載の発明では、横コンベアの搬送終端部を中心回動可能に構成し、作業終了時には、該横コンベアを前方へ回動して、収穫物載置部上に位置する点。
（ｃ）収穫物が、本件発明１では、野菜に特定しているのに対し、刊行物１に記載の発明では、このような特定はない点。
　
　上記相違点について検討する。
（ａ）について、
　収穫機において、収穫物を搬送するコンベアを機体進行方向前部に設け、該コンベアの後方に収穫物載置部を設けることは周知技術である（例えば、実願昭５０ー５４０２７号（実開昭５１ー１３３６３６号）のマイクロフィルム、実願昭５２ー１０１２７４号（実開昭５４ー２７０３８号）のマイクロフィルム、実願昭５７ー１８２１２６号（実開昭５９ー８７２１６号）のマイクロフィルム、特開昭５５ー６４７０８号公報、）から、刊行物１に記載の発明においても、自走車としてトラクタのような荷台のないものを用い、収穫物載置部を横コンベアの後方に設けることは当業者が容易に想到し得るものである。
（ｂ）について、
　本件発明１も刊行物１に記載の発明も、横コンベアの回動は、収穫物載置部上に位置させるためのものであり、横コンベアが収穫物載置部上へ収納し得るか否かは、横コンベアと収穫物載置部の長さの関係によって決まるものであって、刊行物１に記載の横コンベア（コンベア機構（Ｃ）および移送コンベア（１３））も、コンベア機構（Ｃ）の縮小時の長さを収穫物載置部（荷台）の長手方向の長さよりも短くすれば、当然収穫物載置部上に収納されるように、横コンベアを収穫物載置部上へ収納することは、当業者が適宜なし得る設計事項であり、この場合、回動は、収納回動である。また、回動方向は、横コンベアと収穫物載置部との配置関係において自ずと定まるもので、収穫物載置部が横コンベアの後方であれば、当然後方へ回動することになる。
（ｃ）について、
　農作物として、野菜は代表的なものであるから、その収穫の対象を野菜に特定することは当業者が容易に想到し得るものである。
　
　そして、特許異議意見書４頁で述べている「作業終了時には、該横コンベアを後方へ回動して、前記収穫物載置部上に収納する」ことによる効果も、刊行物１に記載の「収穫終了後には、搬送コンベア機構を縮小せしめ、更に押上げ機構を介して取付枠を下動してコンベア機構を上向きに傾動せしめ、そして支持部を中心にして回動すればコンベア機構と、取付枠、重鍾は、自走車の長手方向と同一方向（第８図）でしかも自走車の荷台上に位置し、コンパクト化を図り、移送中に、荷台幅より搬送コンベア機構或は重錘が突出することなく楽に移送し得る。」（４頁左上欄１８行〜右上欄６行）から当業者が容易に予測し得るものであって、格別顕著なものともは認められない。
　また、本件発明１で規定している「横コンベアの後方に収穫物載置部を設け」も、本件特許明細書には「機体を後進させて引き抜き作業者が前方に進んで作業することも可能である。」（公報６欄１８〜２０行）と記載されており、この態様では、横コンベアの前方に収穫物載置部を設ける構成となり、刊行物１に記載の発明も、自走車を後進させれば、横コンベアの後方に収穫物載置部を設ける構成となるように、単に横コンベアを前側と規定したにすぎず、格別顕著な効果を奏するものでもない。
　
（本件発明２について）
　本件発明２は、本件発明１において、横コンベアを昇降可能に構成したものであるが、刊行物１に記載の発明も、コンベア機構（Ｃ）および移送コンベア（１３）は、取付枠（Ｄ）の傾動により、第５図のように、昇降可能としている、即ち、横コンベアを昇降可能に構成している。
　したがって、本件発明２と刊行物１に記載に発明を対比すると、両者の相違点は、上記（ａ）〜（ｃ）であるから、上記発明１での判断と同様の理由により、本件発明２は、刊行物１に記載された発明に基づいて当業者が容易に発明をすることができたものである。
　
オ．むすび
　以上のとおりであるから、本件発明１、２は、特許法第２９条第２項の規定により特許を受けることができない。
　したがって、本件発明１、２に係る特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年３月１１日（２００４．３．１１）
【訂正の要旨】
審決（決定）の【理由】欄参照。
（５４）【発明の名称】
野菜収穫機
（５７）【特許請求の範囲】
　【請求項１】　機体進行方向と直角に横コンベアを配置し、該横コンベアの搬送終端部を中心に収納回動可能に構成して搬送部を構成し、前記横コンベアの後方に収穫物載置部を設け
、作業終了時には、該横コンベアを後方へ回動して、前記収穫物載置部上に収納する
　【請求項２】　請求項１記載の野菜収穫機において、横コンベアを昇降可能に構成したことを特徴とする野菜収穫機。
【発明の詳細な説明】
　【０００１】
　【産業上の利用分野】
　本発明は、圃場より引き抜いたり、刈ったりした野菜を集めて収納袋に入れるための装置に関する。
　【０００２】
　【従来の技術】
　従来から、大根や人参等の野菜を収穫する場合、人手により野菜を圃場より引き抜いて、畝上等に置いておき、次に運搬車等に載せて集め、余分な葉や茎等を切ってから洗って所定量ずつ集めて箱詰めして出荷していた
ので
　【０００３】
　【発明が解決しようとする課題】
　大根等の野菜は機械的に掘り起こすことは簡単であるが、起こすときに爪等が大根の皮がはがれたりして傷めてしまうので商品価値を下げてしまうことになるので、本発明では、引き抜きや刈取は人手により行い、引き抜いた後の野菜を機械的に集めて運搬し、運搬に係る重労働を解消しようとするものである。
　【０００４】
　【課題を解決するための手段】
　本発明の解決すべき課題は以上の如くであり、次に該課題を解決する手段を説明する。即ち、機体進行方向と直角に横コンベアを配置し、該横コンベアの搬送終端部を中心に収納回動可能に構成して搬送部を構成し、前記横コンベアの後方に収穫物載置部を設け
、作業終了時には、該横コンベアを後方へ回動して、前記収穫物載置部上に収納する
　そして、前記横コンベアを昇降可能に構成したのである。
　【０００５】
　【作用】
　次に作用を説明する。横コンベア１１前方に大根を引き抜く作業者が横方向に数人並んで、引き抜いた大根９を横コンベア１１上に載置して、大根は搬送ベルト３１により中央側へ搬送されて、横コンベア１１終端部において、葉はカッター３４にて余分な部分が切断され、縦コンベア１０に落下して後方へ搬送されるのである。そして、後方に搬送された大根は縦コンベア１０終端側部において、作業フロア１７上に位置した作業者により収納袋７に入れられるのである。
　【０００６】
　【実施例】
　次に本発明の技術を大根を収穫する場合の実施例について説明すると、図１は本発明の野菜収穫機全体斜視図、図２は同じく平面図、図３は同じく側面図、図４は同じく正面図、図５は横コンベアを収納した状態の平面図、図６は横コンベア取付基部平面図、図７は同じく正面図、図８は横コンベアと縦コンベアの受け継ぎ部斜視図、図９は横コンベア搬送終端部の平面図、図１０は同じく側面図である。
　【０００７】
　野菜収穫機は図１〜図４に示すように、クローラ式走行装置１上にシャーシ２を固設し、該シャーシ２後部上にクレーン３を配置し、該クレーン３前方の一側に運転席４を配置し、該運転席４側部にエンジン室５を配置しており、該運転席の座席６は前後反転可能に構成して、収穫作業時は前方に向けて操向やコンベアの操作を行い、収穫した大根を入れた収納袋７を降ろしたりするためにクレーン３を操作する時には座席６を後ろ側に向けて、リフトレバー等を操作できるようにしている。但し、運転席４とクレーン３の取付位置を入れ替えて、中央部にクレーン４を配置して、前を向いたまま操作するように構成しても構わない。
　【０００８】
　シャーシ２前部には搬送部と収穫物載置部が配設されており、搬送部は縦コンベア１０と横コンベア１１からなり、縦コンベア１０は機体中央の前後方向に配置して、前下がりに傾斜させて側面視「へ」字状に構成し、該縦コンベア１０前端に縦コンベア１０と直角方向に横コンベア１１Ｌ・１１Ｒが横設されて両コンベアを平面視Ｔ字状に配設し、横コンベア１１Ｌ・１１Ｒの搬送終端を縦コンベア１０前端に位置させて、収穫物を受け継ぐようにしている。但し、横コンベア１１は一つとして機体前端に横設し、機体側方に縦コンベア１１を配置して両コンベアをＬ字状に配設することも可能である。
　【０００９】
　該縦コンベア１０と横コンベア１１Ｌ・１１Ｒはクローラ式走行装置１前部に配置したリフト１２により平行に同時に昇降可能に構成されており、該リフト１２は正面視門型に構成して、両内側に垂直方向にシリンダー１３・１３を配置し、該シリンダー１３のピストンロッド上端にスプロケット１４を枢支し、該スプロケット１４にチェーンを巻回して該チェーンの一端をシャーシに固定し、他端を縦コンベア１０と横コンベア１１Ｌ・１１Ｒを支持するリフトフレーム１５に固定して、シリンダー１３・１３を伸縮させることにより縦コンベア１０と横コンベア１１Ｌ・１１Ｒを同時に昇降する構成とし、後述する横コンベア１１の収納時（非作業時）には上昇し、作業時には下降させて作業者の高さに合わせられるようにしているのである。
　【００１０】
　前記縦コンベア１０は側面視「へ」字状に構成して幅広の搬送ベルト１０ａを巻回し、該搬送ベルト１０ａの前部位置では図８に示すように、搬送面が断面視Ｕ字状として大根が中央に寄り、搬送方向を向くようにして姿勢が乱れないようにしており、前端側面に配置した油圧モーターにて駆動され、機体前端から後方へ大根が搬送され、後部の水平部において作業者が大根を取り上げて収納袋７へ入れるようにしているのである。
　【００１１】
　該縦コンベア１０の両側のシャーシ２上には収穫物載置部が設けられ、該収穫物載置部は、作業フロア１７Ｌ・１７Ｒとサイドフロア１９Ｌ・１９Ｒからなり、該作業フロア１７Ｌ・１７Ｒの外側にサイドフロア１９Ｌ・１９Ｒがヒンジを介して枢結され、該サイドフロア１９Ｌ・１９Ｒは作業時は側方へ張り出し、作業時以外は図４に示すように上方へ回動して収納できるようにしている。そして、作業フロア１７Ｌの後方には運転者が収穫物載置部へ移動が容易となるように後方へ延設部１７ａが設けられ、該延設部１７ａに補助フロア１８が枢結され、サイドフロア１９と同様に折り畳み収納可能としている。
　【００１２】
　該作業フロア１７Ｌ・１７Ｒ及びサイドフロア１９Ｌ・１９Ｒの中央部には長方形の係止体２０・２０・・・が進行方向に立設され、該係止体２０・２０は脱着可能として、作業時は収納袋７の両側を引っ掛けて袋状に維持できるようにしているのである。そしてその収納袋７の前後に作業者が位置して縦コンベア１０により搬送された大根を収納袋７に入れるのである。また、前記作業フロア１７Ｌ・１７Ｒ内側の縦コンベア１０側部には保護板２１が立設され、縦コンベア１０が昇降する際に通過する開口部内へ作業者が落ちたり挟まれたりしないようにしている。
　【００１３】
　縦コンベア１０前端に配置される横コンベア１１Ｌ・１１Ｒは収納可能に構成されており、一方の基部を図６、図７により詳述すると、前記リフトフレーム１５の両端部上に回動プレート２４が載置されて、該回動プレート２４の中央がピン２５にて枢支され、非作業時には図５のように作業フロア１７上へ回動して収納し、作業時には図２のように側方へ回動して左右方向へ張り出し、リフトフレーム１５の側面に固着したパイプ１５ａと回動プレート２４に開口した貫通孔２４ａにロックピンを挿入することにより横コンベア１１をロックするようにしている。
　【００１４】
　該回動プレート２４の両側は起立部２４ｂ・２４ｂが設けられ、該起立部２４ｂ・２４ｂに支持枠２７の後部が枢支され、該支持枠２７の内側の回動プレート２４上には側面視逆Ｌ字状の支持フレーム２６が固設され、該支持フレーム２６前端と支持枠２７前端の間にシリンダー２９が介装されて、該支持枠２７上に載置される横コンベア１１を該シリンダー２９の伸縮により上下に回動可能として、圃場の傾斜に合わせられるようにしているのである。
　【００１５】
　該横コンベア１１は図８、図９、図１０に示すように側方へ張り出した作業時の状態において、側板３０・３０の中央側に駆動軸を配置し、外側に従動軸を配置して、側板３０・３０間の後側に搬送ベルト３１、前側に搬送チェーン３２を配置して、駆動軸端に設けた油圧モーター３３・３３にて両者を駆動して中央側へ収穫物を搬送するようにし、該搬送ベルト３１の前部のベルト上に高さ約３０〜４０ｍｍの肩当て３１ａが設けられ、図８に示すように、大根９の首部９ａを当てた時に前後方向にズレないで安定するようにし、位置決めも兼ねている。そして、搬送チェーン３２には一定間隔をおいて突起３２ａ・３２ａ・・・が突出され、該突起３２ａと突起３２ａの間に大根を挿入して搬送方向の位置ズレを防止しているのである。
　【００１６】
　該横コンベア１１の搬送終端部の前側にはカッター３４が設けられ、該カッター３４は搬送ベルト３１と搬送チェーン３２の間、又は、側板３０と搬送チェーン３２の間の上方に位置させて、油圧モーター３５にて駆動し、大根９の余分な葉を切断するようにし、該カッター３４で葉を切断する時に葉が広がるときれいに切断できないので、カッターカバー３６の後側の搬送ベルト３１前上に押さえガイド３７を配置している。該押さえガイド３７は図９のように棒状であっても、図８のように板状であってもよく、いずれにしても上下位置調節可能に配置されている。
　【００１７】
　該横コンベア１１の搬送終端部と縦コンベア１０前端の受け継ぎ部には図８に示すように、大根９が縦コンベア１０に乗るように、後下がりのガイド板４０が前後位置調節可能に設けられ、また、横コンベア１１端には大根９が縦コンベア１０に落下する時に姿勢が変化したり傷付かないように、横コンベア１１と縦コンベア１０と前記ガイド板４０の間の空間を埋める如くガイド板４１・４２が配設されている。そして、作業時は作業者は後退しながら作業を行い収穫機は前進し、横コンベア１１Ｌ・１１Ｒ前方に大根を引き抜く作業者が位置するので、つまづいて倒れたりすると危険であるので、非常停止スイッチ４３が横コンベア１１前部中央と運転席４近傍に設けて、エンジンを停止するようにしている。但し、非常停止スイッチ４３は横コンベア１１前面をタッチセンサーにより構成することも可能である。
　【００１８】
　このように構成することにより、横コンベア１１前方に大根を引き抜く作業者が横方向に数人（本実施例では片側の横コンベア１１前方に四人）並んで、引き抜いた大根９の首部９ａを横コンベア１１の肩当て３１ａに当てて突起３２ａ・３２ａ間に葉を入れて、次々と搬送ベルト３１上に大根を載せて収穫機を前進させるのである。そして、大根は搬送ベルト３１により中央側へ搬送されて、横コンベア１１終端部において、葉は押さえガイド３７にて押さえられて、カッター３４にて余分な葉が切断されて所定長さに揃えられ、ガイド板４１・４２・４０にガイドされて縦コンベア１０に落下して後方へ搬送されるのである。但し、機体を後進させて引き抜き作業者が前方へ進んで作業することも可能である。
　【００１９】
　後方に搬送された大根は縦コンベア１０終端部において、作業フロア１７上に位置した作業者により収納袋７に入れられ、収納袋７がいっぱいになると、クレーン３により吊り上げられて運搬車等に載せ替えられるのである。そして、作業終了時には、横
コンベア
　【００２０】
　【発明の効果】
　本発明は以上の如く構成したので、次のような効果を奏するのである。即ち、請求項１の如く構成したので、作物を引き抜く作業者を数人並べて同時に大量の作物を引き抜くことができるようになり、引き抜かれた作物は、収穫物をストックする位置まで搬送することができ、従来に比べて大幅に収穫作業の効率を上げることができ、運搬の重労働を解消できたのである。
　そして、大根だけでなく、人参やごぼう等の作物の収穫にも利用でき、汎用性も有しているのである。
　また、請求項２の如く横コンベアを昇降可能に構成したので、作業者が作業し易い高さにコンベアを位置させることができるようになったのである。
【図面の簡単な説明】
　【図１】
　本発明の野菜収穫機全体斜視図である。
　【図２】
　同じく平面図である。
　【図３】
　同じく側面図である。
　【図４】
　同じく正面図である。
　【図５】
　横コンベアを収納した状態の平面図である。
　【図６】
　横コンベア取付基部平面図である。
　【図７】
　同じく正面図である。
　【図８】
　横コンベアと縦コンベアの受け継ぎ部斜視図である。
　【図９】
　横コンベア搬送終端部の平面図である。
　【図１０】
　同じく側面図である。
　【符号の説明】
　７　収納袋
　９　大根
　１０　縦コンベア
　１１　横コンベア
　１３　シリンダー
　１５　リフトフレーム
　１７　作業フロア
　２５　ピン